(57)【要約】物品を保持する容器。本容器は、基層に少なくとも部分的に固定されるラミネート層と、底壁と、側壁とを有する。底壁及び側壁は、協働して容器の空洞を少なくとも部分的に画定し、ラミネート層は、空洞に隣接する容器の内面を少なくとも部分的に構成する。複数のスコア線が容器に延在し、容器の空洞へのラミネート層の浮き上がりを少なくとも部分的に低減する。【選択図】図２
2015532248.tif 000002
【特許請求の範囲】
【請求項１】
物品を保持する容器であって、
基層に少なくとも部分的に固定されるラミネート層と、
協働して該容器の空洞を少なくとも部分的に画定する底壁及び側壁であって、前記ラミネート層は、前記空洞に隣接する該容器の内面を少なくとも部分的に構成する、底壁及び側壁と、
該容器の前記空洞への前記ラミネート層の浮き上がりを少なくとも部分的に低減する、該容器に延在する複数のスコア線と、
を有する、容器。
【請求項２】
前記複数のスコア線である前記スコア線は、前記容器の前記内面にそれぞれの溝を少なくとも部分的に画定する、請求項１に記載の容器。
【請求項３】
前記複数のスコア線である前記スコア線は、前記容器の外面にそれぞれの凸部を少なくとも部分的に画定する、請求項２に記載の容器。
【請求項４】
前記容器は、前記底壁及び前記側壁をつなぐ底角部を更に有し、前記複数のスコア線は少なくとも前記底角部に延在する、請求項２に記載の容器。
【請求項５】
前記底角部は、前記ラミネート層が前記基層よりも概して小さい曲率半径を有するように、湾曲して、前記容器の外面から凸状になっている、請求項４に記載の容器。
【請求項６】
前記側壁は側部領域及び端部領域を有し、前記複数のスコア線は、前記側壁の前記側部領域に隣接する前記底角部に延在する第１の複数のスコア線と、前記側壁の前記端部領域に隣接する前記底角部に延在する第２の複数のスコア線とを含む、請求項４に記載の容器。
【請求項７】
前記側壁の前記側部領域は湾曲し、前記容器の外面から凹状になっており、前記第１の複数のスコア線である前記スコア線は湾曲している、請求項６に記載の容器。
【請求項８】
前記容器は、前記底壁及び前記側壁をつなぐ底角部を更に有し、前記側壁は第１の側部領域及び第２の側部領域を有し、前記複数のスコア線は、前記側壁の前記第１の側部領域に隣接する前記底角部に延在する第１の複数のスコア線と、前記側壁の前記第２の側部領域に隣接する前記底角部に延在する第２の複数のスコア線とを含む、請求項１に記載の容器。
【請求項９】
前記側壁の前記第２の側部領域は湾曲し、前記容器の外面から凹状になっており、前記第２の複数のスコア線である前記スコア線は湾曲している、請求項８に記載の容器。
【請求項１０】
前記第２の複数のスコア線の各スコア線の端点が、前記第２の複数のスコア線の前記それぞれのスコア線の中点よりも前記側壁の前記第１の側部領域から遠くにある、請求項９に記載の容器。
【請求項１１】
前記側壁の前記第１の側部領域は概して真っ直ぐであり、前記第１の複数のスコア線である前記スコア線は概して真っ直ぐである、請求項９に記載の容器。
【請求項１２】
前記側壁は、前記第１の側部領域と前記第２の側部領域との間に延在する端部領域を有し、第３の複数のスコア線が、前記側壁の前記端部領域の少なくとも一部に隣接する前記底角部に延在する、請求項８に記載の容器。
【請求項１３】
前記側壁の前記端部領域の少なくとも一部が湾曲している、請求項１２に記載の容器。
【請求項１４】
前記側壁は端部領域を有し、該端部領域の少なくとも一部が湾曲しており、複数のプリーツが、少なくとも前記側壁の前記端部領域に形成される、請求項１に記載の容器。
【請求項１５】
前記容器は、前記底壁及び前記側壁をつなぐ底角部を更に有し、前記側壁は前記底角部から概して上方に延在し、フランジが前記側壁から概して外方に延在する、請求項１に記載の容器。
【請求項１６】
前記容器は、前記底壁及び前記側壁をつなぐ底角部を更に有し、該底角部は、前記ラミネート層が、少なくとも該底角部において前記基層よりも概して小さい曲率半径を有するように湾曲している、請求項１に記載の容器。
【請求項１７】
前記容器は、前記底壁及び前記側壁をつなぐ底角部を更に有し、前記底壁の少なくとも一部が、前記底角部の少なくとも一部よりも高く隆起している、請求項１に記載の容器。
【請求項１８】
物品を保持する容器を形成するためのブランクであって、
基層に少なくとも部分的に固定されるラミネート層と、
協働して、該ブランクから形成される前記容器の空洞を少なくとも部分的に画定する底部及び辺縁部であって、前記ラミネート層は、該ブランクから形成される前記容器の内面を少なくとも部分的に形成する、底部及び辺縁部と、
該ブランクに延在し、該ブランクから形成される前記容器の前記空洞への前記ラミネート層の浮き上がりを少なくとも部分的に低減する複数のスコア線と、
を有する、ブランク。
【請求項１９】
前記複数のスコア線である前記スコア線は、前記ブランクの前記内面にそれぞれの溝を少なくとも部分的に画定する、請求項１８に記載のブランク。
【請求項２０】
前記複数のスコア線である前記スコア線は、前記ブランクの外面にそれぞれの凸部を少なくとも部分的に画定する、請求項１９に記載のブランク。
【請求項２１】
前記ブランクは、前記底部及び前記辺縁部をつなぐ底角領域を更に有し、前記複数のスコア線は、少なくとも前記底角領域に延在する、請求項１９に記載のブランク。
【請求項２２】
前記容器が前記ブランクから形成されると、前記底角領域は、湾曲した底角部を形成し、前記容器が前記ブランクから形成されると、前記底角部は、前記ラミネート層が前記底角部において前記基層よりも概して小さい曲率半径を有するように、前記ブランクから形成される前記容器の外面から凸状になっている、請求項２１に記載のブランク。
【請求項２３】
前記辺縁部は側部領域及び端部領域を有し、前記複数のスコア線は、前記辺縁部の前記側部領域に隣接する前記底角領域に延在する第１の複数のスコア線と、前記辺縁部の前記端部領域に隣接する前記底角領域に延在する第２の複数のスコア線とを含む、請求項２１に記載のブランク。
【請求項２４】
前記辺縁部は、前記容器が前記ブランクから形成されると、少なくとも側壁を少なくとも部分的に形成し、前記第１の複数のスコア線である前記スコア線は湾曲しており、前記辺縁部の前記側部領域は、前記容器が前記ブランクから形成されると、前記側壁の湾曲部を形成し、該側壁の該湾曲部は、前記ブランクから形成される前記容器の外面から凹状になっている、請求項２３に記載のブランク。
【請求項２５】
前記ブランクは、前記底部及び前記辺縁部をつなぐ底角領域を更に有し、前記辺縁部は、第１の側部領域及び第２の側部領域を有し、前記複数のスコア線は、前記辺縁部の前記第１の側部領域に隣接する前記底角領域に延在する第１の複数のスコア線と、前記辺縁部の前記第２の側部領域に隣接する前記底角領域に延在する第２の複数のスコア線とを含む、請求項１８に記載のブランク。
【請求項２６】
前記辺縁部は、前記容器が前記ブランクから形成されると、少なくとも側壁を少なくとも部分的に形成し、前記第２の複数のスコア線である前記スコア線は湾曲しており、前記辺縁部の前記第２の側部領域は、前記容器が前記ブランクから形成されると、前記側壁の湾曲部を形成し、該側壁の該湾曲部は、前記ブランクから形成される前記容器の外面から凹状になっている、請求項２５に記載のブランク。
【請求項２７】
前記第２の複数のスコア線の各スコア線の端点が、前記第２の複数のスコア線の前記それぞれのスコア線の中点よりも前記辺縁部の前記第１の側部領域から遠くにある、請求項２６に記載のブランク。
【請求項２８】
前記第１の複数のスコア線である前記スコア線は概して真っ直ぐであり、前記辺縁部の前記第１の側部領域は、前記容器が前記ブランクから形成されると、前記側壁の概して真っ直ぐな部分を形成する、請求項２６に記載のブランク。
【請求項２９】
前記辺縁部は、前記第１の側部領域と前記第２の側部領域との間に延在する端部領域を有し、第３の複数のスコア線が、前記辺縁部の前記端部領域の少なくとも一部に隣接する前記底角領域に延在する、請求項２５に記載のブランク。
【請求項３０】
前記ブランクは、前記辺縁部の端部領域に複数のプリーツスコアを更に有し、前記辺縁部は、前記ブランクから形成される前記容器の少なくとも側壁を少なくとも部分的に形成し、前記複数のプリーツスコアである前記プリーツスコアは、前記ブランクから形成される前記容器の前記側壁にそれぞれのプリーツを形成する、請求項１８に記載のブランク。
【請求項３１】
前記ブランクの前記辺縁部は、前記容器が前記ブランクから形成されると、側壁及びフランジを少なくとも部分的に形成する、請求項１８に記載のブランク。
【請求項３２】
容器を形成する方法であって、
基層に少なくとも部分的に固定されるラミネート層と、複数のスコア線とを有するブランクを得るステップと、
前記ブランクから底壁及び側壁を有する前記容器を形成するステップであって、該容器を形成するステップは、前記底壁及び前記側壁によって少なくとも部分的に画定される空洞を形成するステップを含み、前記ラミネート層は、前記空洞に隣接する前記容器の内面を構成する、形成するステップと、
を含み、前記容器を形成するステップの際に、前記複数のスコア線は、前記容器の前記空洞への前記ラミネート層の浮き上がりを少なくとも部分的に低減する、方法。
【請求項３３】
前記ブランクは底部及び辺縁部を有し、底角領域が前記底部及び前記辺縁部をつなぎ、前記容器を形成するステップは、前記ブランクの前記辺縁部から少なくとも前記側壁を形成するステップと、前記ブランクの前記底部から前記底壁を形成するステップと、前記ブランクの前記底角領域から底角部を形成するステップとを含む、請求項３２に記載の方法。
【請求項３４】
前記底角部は、前記ラミネート層が前記基層よりも概して小さい曲率半径を有するように、湾曲し、前記容器の外面から凸状になっており、前記複数のスコア線は少なくとも前記底角部に延在する、請求項３３に記載の方法。
【請求項３５】
前記容器を形成するステップは、前記側壁の側部領域を形成するステップを含み、該側部領域は湾曲し、前記容器の外面から凹状になっている、請求項３２に記載の方法。
【発明の詳細な説明】
【技術分野】
【０００１】
本開示は、ブランク、容器、トレイ、構造体、及びブランクから容器を成形しやすくする種々の機能部に関する。
【０００２】
［関連出願の相互参照］
本願は、２０１２年１０月１７日に出願された米国仮特許出願第６１／７９５，５０１号及び２０１２年１０月２９日に出願された米国仮特許出願第６１／７９５，８５２号の利益を主張するものである。
【０００３】
［参照による引用］
２０１２年１０月１７日に出願された米国仮特許出願第６１／７９５，５０１号及び２０１２年１０月２９日に出願された米国仮特許出願第６１／７９５，８５２号の開示は、その全体が本明細書において提示されているかのように引用することにより本明細書の一部をなす。
【発明の概要】
【０００４】
１つの態様において、本開示は、包括的には、物品を保持する容器に関する。本容器は、基層に少なくとも部分的に固定されるラミネート層と、底壁と、側壁とを有する。底壁及び側壁は、協働して容器の空洞を少なくとも部分的に画定し、ラミネート層は、空洞に隣接する容器の内面を少なくとも部分的に構成する。複数のスコア線が容器に延在し、容器の空洞へのラミネート層の浮き上がり（buckling）を少なくとも部分的に低減する。
【０００５】
別の態様において、本開示は、包括的には、物品を保持する容器を形成するためのブランクに関する。本ブランクは、基層に少なくとも部分的に固定されるラミネート層と、底部と、辺縁部とを有する。底部及び辺縁部は、協働して、ブランクから形成される容器の空洞を少なくとも部分的に画定する。ラミネート層は、ブランクから形成される容器の内面を少なくとも部分的に形成する。複数のスコア線がブランクに延在し、ブランクから形成される容器の空洞へのラミネート層の浮き上がりを少なくとも部分的に低減する。
【０００６】
別の態様において、本開示は、包括的には、容器を形成する方法に関する。本方法は、基層に少なくとも部分的に固定されるラミネート層と、複数のスコア線とを有するブランクを得るステップを含む。本方法は、ブランクから底壁及び側壁を備える容器を形成するステップを更に含む。容器を形成するステップは、底壁及び側壁によって少なくとも部分的に画定される空洞を形成するステップを含む。ラミネート層は、空洞に隣接する容器の内面を構成する。容器を形成する間、複数のスコア線は、容器の空洞へのラミネート層の浮き上がりを少なくとも部分的に低減する。
【０００７】
当業者は、添付図面を参照して実施形態の以下の詳細な説明を読めば、上述の利点並びに種々の更なる実施形態の他の利点及び利益を理解するであろう。
【０００８】
一般的慣行によれば、以下で説明する図面の種々の特徴は、必ずしも一律の縮尺で描かれていない。図面における種々の特徴及び要素の寸法は、本開示の実施形態をより明確に示すために拡大又は縮小されている場合がある。
【図面の簡単な説明】
【０００９】
【図１】本開示の第１実施形態に係る容器を形成するのに用いられるブランクの平面図である。
【図１Ａ】図１のブランクの辺縁部の部分断面図である。
【図１Ｂ】図１のブランクの底角領域の部分断面図である。
【図２】本開示の第１実施形態に係る、図１のブランクから形成される容器の斜視図である。
【図３】図２の容器の上面斜視図である。
【図４】図２の容器の下面斜視図である。
【図５Ａ】例示的な一実施形態に係る容器を形成する例示的な成形工具の概略図である。
【図５Ｂ】例示的な一実施形態に係る容器を形成する例示的な成形工具の概略図である。
【図６】本開示の第２の実施形態に係る容器を形成するのに用いられるブランクの平面図である。
【図７】本開示の第２の実施形態に係る、図６のブランクから形成される容器の斜視図である。
【図８】図７の容器の上面斜視図である。
【図９】図７の容器の下面斜視図である。
【発明を実施するための形態】
【００１０】
対応する部分は、図面を通して対応する参照符号によって示されている。
【００１１】
本開示は包括的には、容器、構造体、トレイ、材料、パッケージ、要素及び物品、並びにそのような容器、構造体、トレイ、材料、パッケージ、要素及び物品を作製する方法の種々の態様に関する。幾つかの異なる態様、実施態様及び実施形態が開示されているが、それらの種々の態様、実施態様及び実施形態間の多くの相互関係、それらの組合せ及び変更が本明細書によって意図される。図示の１つの実施形態では、本開示は、食品又は種々の他の物品を保持する容器又はトレイを成形することに関する。しかしながら、他の実施形態では、容器又はトレイは、他の非食品収容物品を形成するために用いることができるか、又は加熱若しくは調理に用いてもよい。
【００１２】
図１は、本開示の第１実施形態に係る、フランジ７を有する容器５（図２乃至図４）を形成するのに用いられるブランク３を示している。図示の実施形態では、ブランク３は、概して真っ直ぐな側縁及び半円形又は弧状の端縁を有する。ブランク３は、プレス成形されて容器５になり、容器５は、図示の実施形態では、概して真っ直ぐな側部と、凹状の側部と、凸状の端部とを有するトレイである。ブランク３は、成形工具Ｔ（図５Ａ及び図５Ｂに例として概略的に示されている）によってプレス成形して容器５にすることができることが理解される。成形工具Ｔは、米国特許出願公開第２００５／０１０９６５３号に開示されているような従来の成形工具と同様であり、同様の特徴及び／又は要素を有することができる。上記米国特許出願公開の内容全体は、引用することにより全ての目的について本明細書の一部をなす。また、成形工具は、国際公開第２００８／０４９０４８号に開示されている成形工具又は任意の他の好適な成形工具アセンブリ等と同様の特徴及び要素を有することができる。上記国際公開の内容全体は、引用することにより全ての目的について本明細書の一部をなす。また、ブランク３及び容器５は、本開示の範囲から逸脱することなく代替的な形状（例えば、円形、楕円形、矩形、不規則形等）とすることができる。本開示のブランク３は、容器の底角領域９における、ブランクから作製される容器５の内側のラミネート層材料の離層及び／又は浮き上がりを低減、防止、又は排除するのに役立つ特徴部を有する。
【００１３】
ブランク３は、２枚以上の層を有する積層体から形成することができるが、代替的に、この積層体は、限定はしないが、板紙、ボール紙、紙、又はポリマーシート等の単層の材料と置き換えることができる。本開示の例示的な実施形態によると、上記積層体は、ジョージア州マリエッタ所在のGraphic Packaging International社から市販されているＭｉｃｒｏＲｉｔｅ（商標）容器によく見られるようなマイクロ波相互作用層とすることができるラミネート層８を含むことができる。上記ラミネート層は、箔、マイクロ波シールド、又は、電子レンジ内でマイクロ波エネルギーを遮蔽する及び／又は加熱を生じるのに好適な材料層を指す任意の他の項目若しくは要素を一般的に指すことができるか、又はそれらを要素のうちの１つとして有することができる。代替的に、ラミネート層８は、基板に積層される任意の好適な材料とすることができる。ラミネート層８は、ブランク３の内側面／内面１２（図１及び図１Ａ）を含む。図示の実施形態では、ブランク３は、ブランク３の外側面／外面１６（図１Ａ）を形成する基材又は基層１４を有する。ラミネート層８は、基層１４によって支持され、また基層１４に固定される（例えば、積層される）。基層１４は、板紙、ボール紙、ポリマー、又は任意の他の好適な材料の形態とすることができる。そうではあるが、例示的な実施形態によると、基層１４はコートされていない板紙であるのが通常である。ラミネート層８は、以下に記載する他の好適なマイクロ波相互作用材料又は任意の他の好適な材料とすることができる。
【００１４】
図１に示されているように、ブランク３は長手方向Ｌ１及び横方向Ｌ２を有し、ブランク３の長手中心線ＣＬは長手方向Ｌ１に対して概して平行であり、ブランクの横中心線ＣＴは横方向Ｌ２に対して概して平行である。ブランク３は、中央部１１と、外縁１３と、外縁１３と中央部１１との間の辺縁部１５とを有する。図１に示されているように、底角領域９は、中央部１１と辺縁部１５との間の遷移領域を形成する。さらに、ブランク３は、第１の側部領域２１と、第２の側部領域２３と、２つの端部領域２５とを有することができる。
【００１５】
１つの実施形態において、ブランク３の辺縁部１５は複数のスコア線１９を有する。スコア線１９は、ブランクの外縁１３から概して径方向に延在するように端部領域２５の辺縁部１５に全て位置する。１つの実施形態において、それぞれの湾曲領域２７（例えば、外縁１３が概して湾曲しているところ）における隣接するスコア線１９は、少なくとも約５度の角度Ａ１で離間することができる。代替的に、角度Ａ１は任意の好適な角度とすることができる。それぞれの真っ直ぐな部分２９（例えば、外縁１３が概して真っ直ぐであるところ）において、スコア線１９は概して平行である。１つの実施形態では、スコア線１９はブランク３の外縁１３まで延在するが、スコア線は、本開示から逸脱することなく、ブランクの外縁から離間した径方向外方の端点を有することができる。また、１つの実施形態において、スコア線１９は、ブランクの内面１２においてラミネート層８の表面に僅かな窪みを有し、ブランクの外面１６において基層１４の外側面に僅かな出っ張りを有するように、内面１２に形成される。スコア線１９は、本開示から逸脱することなく、省略することができるか、又は、別様な形状、構成、及び／又は形態とすることができる。
【００１６】
図示の実施形態では、複数のスコア線３０をブランク３の底角領域９に有し、基層１４からのラミネート層８の離層を低減するのに役立てることができる。複数のスコア線３０は、第１の側部領域２１に隣接して延在する第１の側部スコア線３３と、第２の側部領域２３に隣接して延在する第２の側部スコア線３５と、端部領域２５のそれぞれに隣接して延在する端部スコア線３７とを有することができる。１つの実施形態では、図１Ｂに概略的に示されているように、スコア線３０は、ブランクの内面１２に僅かな窪み、スロット、又は溝と、ブランクの外面１６に僅かな出っ張りとを有するように内面１２に形成される。図示の実施形態では、第１の側部スコア線３３は、概して真っ直ぐかつ長手中心線ＣＬに対して概して平行であり、端部スコア線３７は、概して真っ直ぐかつ横中心線ＣＴに対して概して平行である。図１に示されているように、第２の側部スコア線３５は、個々のスコア線のそれぞれの端部が、スコア線のそれぞれの中点よりも長手中心線ＣＬ及び第１の側部領域２１から遠くにあるように湾曲している。第１の側部スコア線３３及び第２の側部スコア線３５は、横中心線ＣＴに概ね中心を置くことができ、端部スコア線３７は、長手中心線ＣＬに概ね中心を置くことができる。スコア線３０は、本開示から逸脱することなく、省略することができるか、又は別様な形状、構成、及び／又は形態とすることができる。
【００１７】
１つの例において、ブランク３の板紙の基層１４は、約０．０１８インチ（０．４６ｍｍ）の厚さを有する１８ポイントの板紙を含むことができ、ラミネート層８は約０．００１インチ（０．０２５ｍｍ）の厚さを有することができ、そのため、ブランク３は約０．０１９インチ（０．４８ｍｍ）の総厚さＴｂを有する。ラミネート層８内の箔の厚さは、例えば約０．０００２７５インチ（０．００７ｍｍ）とすることができる。１つの実施形態において、板紙の基層１４の厚さは約０．０１３インチ（０．３３ｍｍ）乃至約０．０３０インチ（０．７２ｍｍ）の範囲とすることができ、ラミネート層８の厚さは約０．０００５インチ（０．０１３ｍｍ）乃至約０．００１５インチ（０．０３８ｍｍ）の範囲とすることができ、総厚さＴｂは約０．０１３５インチ（０．３４ｍｍ）乃至約０．０３１５インチ（０．８０ｍｍ）の範囲とすることができる。上述の厚さ又は上述した他の寸法のうちのいずれも、本開示の範囲から逸脱することなく、記載よりも大きく又は小さくすることができるか、又は列挙した範囲内又は範囲外とすることができる。本開示の種々の他の実施形態は、本明細書に含まれる寸法よりも大きいか又は小さい寸法を含むことができるので、本明細書内に記載されている寸法の情報の全ては、本開示の或る特定の態様の例示であることが意図され、本開示の範囲を制限するように意図されていない。
【００１８】
図２乃至図４は、ブランク３から形成される容器５を含む、本開示の１つの実施形態を示している。容器５は、概して隆起した底壁１３３と、底壁と側壁１３７とをつなぐ底角部１３５と、側壁１３７とフランジ７とをつなぐ上角部１３９と、外縁１４１とを備える。底壁１３３はブランク３の底部１１から概して形成されており、底角部１３５はブランクの底角領域９から概して形成されており、側壁１３７及びフランジ７は、ブランクの辺縁部１５から形成されている。径方向外縁１４１は、ブランク３の外縁１３に概して対応することができる。底壁１３３及び側壁１３７は、容器５の内部空間すなわち空洞１４５を少なくとも部分的に画定する。ラミネート層８は容器５の内側面／内面１２にあり、基層１４は容器の外側面／外面１６にある。容器５は、容器の内部空間１４５に配置される食品（不図示）を保持及び／又は調理及び／又は加熱するためのものである。
【００１９】
図２乃至図４に示されているように、フランジは側壁１３７から外方に延在し、フランジ７の傾斜した上角部１３９は、側壁１３７及びフランジ７の残りの部分に対して斜めになっていることができる。代替的に、上角部１３９は、湾曲しているか又は別様に形成するか又は省略することができる。図示の実施形態では、側壁１３７は、底角部１３５及び底壁１３３から概して上方に延在し、底角部１３５は、容器５の最下部が底角部１３５の湾曲部に沿って位置するように湾曲している。したがって、容器５が或る面に直立して置かれるとき、底角部１３５の一部はこの面に当接し、底壁１３３はこの面から離間している。
【００２０】
図２及び図３に示されているように、側壁１３７、フランジ７、及び底角部１３５は、側壁１３７及び外縁１４１が概して真っ直ぐである第１の側部領域２１と、側壁１３７及び外縁１４１が容器５の内部１４５に向かって湾曲している（例えば凹状）第２の側部領域２３と、側壁１３７及び外縁１４１が、概して真っ直ぐな部分によってつながる凸部を形成する端部領域２５とを含む。容器５は、本開示から逸脱することなく他の形状及び／又は寸法を有することができる。
【００２１】
図示の実施形態では、ブランク３が容器５に形成されると、スコア線１９は、重なり部分すなわちプリーツ３１を形成する。図示の実施形態では、重なり部分３１は、容器のフランジ７及び側壁１３７にあり、底壁１３３に隣接する場所まで側壁を下方に延在している。重なり部分３１は、本開示から逸脱することなく、別様な形状、構成、及び／又は形態とすることができる。
【００２２】
図３に示されているように、複数のスコア線３０は概して底角部１３５に配置され、ラミネート層８が基層１４から分離して容器５の内部１４５に広がることを防止するのに役立つことができる。第１の側部スコア線３３は、側壁１３７の概して真っ直ぐな第１の側部領域２１に対応するように概して真っ直ぐであり、第２の側部スコア線３５は、側壁の凹状の第２の側部領域２３に対応するように湾曲しており、端部スコア線３７は、側壁の端部領域２５の概して真っ直ぐな部分に対応するように概して真っ直ぐである。代替的な一実施形態では、端部スコア３７は、端部領域の湾曲部とともに湾曲することができる。
【００２３】
１つの実施形態において、ラミネート層８は、特に板紙の基層１４に比べて、概してより圧縮耐性があることができる。ラミネート層８が基層１４に対して内側であるため、ラミネート層８の材料は、底角部１３５において集まるか、又は浮き上がり、基層１４から分離する可能性がある。例えば、ラミネート層と基層との間のマイクロ層の相互作用は、（例えば、不均一な塗布に起因して）接着剤がより弱い及び／又は存在しない場所では、層同士を固定している接着剤を駄目にする可能性がある。スコア３０が省略される場合、ラミネート層８の材料は、基層１４から分離して容器５の内部１４５に広がる可能性がある。ラミネート層の分離した部分は、例えば、食器具によって損傷する可能性があり、内面１２から剥がれ落ち、容器５に収容されている食品と混合する可能性がある。通常、ラミネート層８に用いられる材料は一般的に不活性であるが、容器５の内面に対する損傷は、容器及び中に収容されている食品（又は他の物品）の見た目を損ね得る。さらに、ラミネート層の緩んだ部分は、消費者にとって不安を生じ及び／又は容器内の食品（又は他の物品）の享受に影響を与える。
【００２４】
スコア３０は、ラミネート層８が内部１４５に浮き上がることを防止するのに役立つことができる。図１Ｂに概略的に示されているように、スコア３０は容器の内面１２の溝を概して形成し、そのため、ラミネート層８は底角部１３５においていくらか広がる。したがって、ブランクがプレス成形されて容器になる場合、ラミネート層はスコア３０の溝に押し込まれ、ラミネート層は基層１４から離層しにくくなる。基層から分離する場合があるラミネート層の部分は、スコア３０の溝内に依然として配置されており、したがって、底角部の湾曲部に押し込まれ、例えば溝によって食器具から少なくとも部分的に保護される。したがって、ラミネート層８のあらゆる離層した部分は、容器から剥がれ落ち、容器内の食品（又は他の物品）と混合する可能性が低くなる。したがって、ラミネート層８の離層が低減及び制御され、容器及び容器に収容されている食品又は他の物品の見た目及び安全性を維持するのに役立つ。
【００２５】
１つの実施形態において、ブランク３は、ブランクを移送し、下側工具アセンブリＬ及び上側工具アセンブリＵを備える成形工具Ｔ（例として図５Ａ及び図５Ｂに概略的に示されている）に、ブランクを分離位置又は開放位置で配置することによって容器に形成される。成形工具Ｔは、工具アセンブリＬ、Ｕをともに閉鎖位置（例えば図５Ａ）まで動かすことにより、ブランク３をプレス成形して容器５にするのに用いられる。容器５のプレス成形後、工具アセンブリＬ、Ｕは分離されて（例えば図５Ｂ）、容器５を離型することができる。平坦なブランク３が成形工具Ｔにおいてプレス成形されると、基板１４及びラミネート層８は圧縮され、三次元容器５に形成される。スコア線１９は、平坦なブランクを成形工具において三次元容器に形成するのを容易にし、スコア線３０は、ラミネート層の浮き上がりを防止又は低減するのに役立つ。スコア線１９はブランク３の辺縁部１５を容器５の側壁１３７及びフランジ７に形成するのを可能にする。容器５は、本開示から逸脱することなく、別様に形成することができ、及び／又は単数若しくは複数の任意の好適な成形工具によって形成することができる。図５Ａ及び図５Ｂに概略的に示されている成形工具Ｔは単に例として挙げられる。
【００２６】
図６は、本開示の第２実施形態に係る容器４０５（図７乃至図９）を形成するためのブランク４０３の内面４１２の図である。第２実施形態は、記載される変更及び当業者には明らかとなる変更を除き、第１実施形態と概して同様である。従って、実施形態の同様又は同一の特徴には、類似又は同様の参照符号が与えられる。図６に示されているように、ブランク４０３は略矩形であり、２つの側部領域４２１及び２つの端部領域４２５を有する。ブランク４０３は、中央部４１１と、外縁４１３と、辺縁部４１５と、底角領域４０９とを有する。複数のスコア線４１９は、辺縁部４１５において、プリーツ４３１（図７）を形成するそれぞれの湾曲角部４２７に位置する。角部領域４０９の複数のスコア線４３０は、前述の実施形態のスコア線３０と概して同様とすることができる。スコア線４３０は、概して真っ直ぐな側部スコア線４３３及び端部スコア線４３７を含む。図６に示されているように、ラミネート層４０８の箔は特定のパターン４１８で配置される。代替的に、箔は、任意の好適なパターンでラミネート層に分布することができるか、ラミネート層に均一に分布することができるか、又は省略することができる。図７乃至図９に示されているように、容器４０５は、概して隆起した底壁５３３と、複数のスコア４３０を有する底角部５３５と、側壁５３７と、フランジ４０７とを備える。また、容器４０５は、概して真っ直ぐな側部領域４２１と、概して真っ直ぐな端部領域４２５と、湾曲角部４３８とを有する。ブランク４０３及び／又は容器４０５は、本開示から逸脱することなく、別様な形状、構成、及び／又は形態とすることができる。
【００２７】
本開示の種々の実施形態の特徴のうちの任意のものは、本開示の範囲から逸脱することなく、本開示の他の実施形態の他の特徴と組み合わせたり、置き換えたり、又は別様に構成したりすることができる。
【００２８】
任意選択的に、本明細書に記載又は本明細書によって想定されるブランク又は他の構造体の１つ又は複数の部分は、ニス、クレー、又は他の材料を単独で又は組み合わせてコーティングしてもよい。その場合、コーティングは、製品広告又は他の情報又は画像と共に重ねて印刷してもよい。ブランク又は他の構造体はまた、ブランクの表面積全体以下又は実質的にブランクの表面積全体がコーティング及び／又は印刷され得るように選択的にコーティング及び／又は印刷してもよい。
【００２９】
さらに、容器５、４０５は、本開示から逸脱せずに、蓋（不図示）と協働して、容器内に保持される食品又は他の物品を保持、加熱、及び／又は調理することができる。
【００３０】
本開示のブランク、容器又は他の構造体のうちの任意のものは、トレイ又は他の構造体に関連付けられる食品の加熱又は調理中にマイクロ波エネルギーの効果を変える、１つ又は複数の機能部を任意選択的に含むことができる。例えば、ブランク、トレイ、容器又は他の構造体は、１つ又は複数のマイクロ波エネルギー相互作用要素（以下では「マイクロ波相互作用要素」と称する場合がある）から少なくとも部分的に形成することができ、１つ又は複数のマイクロ波エネルギー相互作用要素は、食品の特定のエリアの加熱、焦げ目付け及び／又はカリカリ仕上げを促進するか、食品の特定エリアの焼き過ぎを防ぐようにその食品の特定のエリアをマイクロ波エネルギーから遮蔽するか、又は、食品の特定のエリアに向けて若しくは食品の特定のエリアから離れてマイクロ波エネルギーを送る。各マイクロ波相互作用要素は、特定の構造体及び食品に対する必要若しくは所望に応じて、マイクロ波エネルギーを吸収するか、マイクロ波エネルギーを送るか、マイクロ波エネルギーを反射するか、又はマイクロ波エネルギーを向けるように、特定の構成に配置される１つ又は複数のマイクロ波エネルギー相互作用材料又はセグメントを含む。
【００３１】
サセプタ又はシールドの場合、マイクロ波エネルギー相互作用材料は、導電性又は半導電性材料、例えば真空蒸着金属若しくは合金、又は金属インク、有機インク、無機インク、金属ペースト、有機ペースト、無機ペースト、又はそれらの任意の組み合わせを含むことができる。好適であるものとすることができる金属及び合金の例としては、アルミニウム、クロム、銅、インコネル合金（ニオブを含有する、ニッケル−クロム−モリブデン合金）、鉄、マグネシウム、ニッケル、ステンレス鋼、スズ、チタン、タングステン及びそれらの任意の組み合わせ又は合金が挙げられるが、それらに限定されない。
【００３２】
代替的には、マイクロ波エネルギー相互作用材料は、任意選択的に導電性材料と併せて使用される金属酸化物、例えばアルミニウム、鉄及びスズの酸化物を含むことができる。好適であるものとすることができる別の金属酸化物は酸化インジウムスズ（ＩＴＯ：Indium Tin Oxide）である。ＩＴＯは、より均一な結晶構造を有するため、ほとんどのコーティング厚さにおいて透明である。
【００３３】
更に代替的には、マイクロ波エネルギー相互作用材料は、好適な導電性、半導電性若しくは非導電性の人工誘電体又は強誘電体を含むことができる。人工誘電体は、重合体又は他の好適なマトリクス又は結合剤中に導電性の細分された材料を含み、導電性金属、例えばアルミニウムのフレークを含むことができる。
【００３４】
他の実施形態では、マイクロ波エネルギー相互作用材料は、例えば米国特許第４，９４３，４５６号、同第５，００２，８２６号、同第５，１１８，７４７号及び同第５，４１０，１３５号に開示されているように炭素を主成分とすることができる。
【００３５】
更に他の実施形態では、マイクロ波エネルギー相互作用材料は、電子レンジ内で電磁エネルギーの磁気部分と相互作用することができる。この種類の正しく選択されている材料は、材料のキュリー温度に達すると相互作用を失うことに基づいて自己制限することができる。そのような相互作用コーティングの例が米国特許第４，２８３，４２７号に記載されている。
【００３６】
他のマイクロ波エネルギー相互作用要素の使用も意図される。一例では、マイクロ波エネルギー相互作用要素は、入射するマイクロ波エネルギーの大部分を反射するのに十分な厚さを有する、箔又は高光学密度の蒸発材料を含むことができる。そのような要素は通常、約０．０００２８５インチ乃至約０．００５インチ、例えば約０．０００３インチ乃至約０．００３インチの厚さを概ね有する中実の「パッチ」の形態の、導電性の反射金属又は合金、例えばアルミニウム、銅又はステンレス鋼から形成される。他のそのような要素は、約０．０００３５インチ乃至約０．００２インチ、例えば０．００１６インチの厚さを有することができる。
【００３７】
幾つかの場合では、マイクロ波エネルギー反射（又は反射性）要素は、食品が加熱中に焦げやすいか又は乾ききってしまいやすい場合、遮蔽要素として用いることができる。他の場合では、マイクロ波エネルギーを拡散するか又はその強度を低下させるために、より小さいマイクロ波エネルギー反射要素を用いることができる。そのようなマイクロ波エネルギー反射要素を用いる一例の材料が、Graphic Packaging International社（ジョージア州マリエッタ所在）から、ＭｉｃｒｏＲｉｔｅ（商標）パッケージング材料という商標名で市販されている。他の例では、マイクロ波エネルギーを食品の特定のエリアに誘導するために、複数のマイクロ波エネルギー反射要素を配置してマイクロ波エネルギー分散要素を形成することができる。所望であれば、そのループは、マイクロ波エネルギーを共鳴させる長さを有することができ、それによって、分散効果を高める。マイクロ波エネルギー分散要素は、米国特許第６，２０４，４９２号、同第６，４３３，３２２号、同第６，５５２，３１５号及び同第６，６７７，５６３号に記載されており、これらはそれぞれ引用することによってその全体が本明細書の一部をなす。
【００３８】
所望であれば、本明細書に記載されるか又は本明細書によって意図される多くのマイクロ波エネルギー相互作用要素のいずれかを、実質的に連続的にする、すなわち実質的な破断部若しくは中断部を有しないものとすることができるか、又は例えばマイクロ波エネルギーを透過させる１つ又は複数の破断部若しくは開口を含むことによって不連続的とすることができる。破断部又は開口は、構造体全体を貫通するか、又は１つ又は複数の層のみを貫通することができる。そのような破断部又は開口の数、形状、サイズ及び位置決めは、形成される構造体の種類、構造体内若しくは構造体上で加熱される食品、加熱、焦げ目付け及び／又はカリカリ仕上げの所望の程度、食品の均一な加熱を達成するためにマイクロ波エネルギーへの直接曝露が必要又は望ましいか否か、直接加熱による食品の温度変化の調節の必要性、並びに通気する必要があるのか否か、またどの程度までその必要があるのかに応じて、特定の用途に関して変わることができる。
【００３９】
例示として、マイクロ波エネルギー相互作用要素は、食品の誘電加熱を行うために１つ又は複数の透過性エリアを含むことができる。しかしながら、マイクロ波エネルギー相互作用要素がサセプタを含む場合、そのような開口は全体的なマイクロ波エネルギー相互作用エリアを減らすため、食品の表面を加熱、焦げ目付け及び／又はカリカリ仕上げするために利用可能なマイクロ波エネルギー相互作用材料の量が減る。したがって、特定の食品の所望の全体的な加熱特性を達成するために、マイクロ波エネルギー相互作用エリア及びマイクロ波エネルギー透過性エリアの相対的な量のバランスをとることができる。
【００４０】
別の例として、マイクロ波エネルギーが、焦げ目付け及び／又はカリカリ仕上げされることが意図されない食品の部分又は加熱環境に失われるのではなく、加熱、焦げ目付け及び／又はカリカリ仕上げされるべきエリアに効率的に集中することを確実にするために、サセプタの１つ又は複数の部分をマイクロ波エネルギー不活性であるように設計することができる。加えて、又は代替的には、食品、及び／又はサセプタを含む構造体の過熱又は炭化を防ぐように１つ又は複数の不連続部又は不活性領域を作ることが有益である場合がある。
【００４１】
更に別の例として、サセプタは、サセプタ内での亀裂の伝播を制限し、それによって、サセプタの、食品への伝熱が少なくサセプタが高温になり過ぎる傾向があるエリアにおける過熱を制御する１つ又は複数の「ヒューズ」要素を組み込むことができる。ヒューズのサイズ及び形状は必要に応じて変えることができる。そのようなヒューズを含むサセプタの例は、例えば、米国特許第５，４１２，１８７号、米国特許第５，５３０，２３１号、２００８年２月１４日に公開された米国特許出願公開第２００８／００３５６３４号、及び２００７年１１月８日に公開されたＰＣＴ出願公開第２００７／１２７３７１号において提供されており、これらはそれぞれ引用することによってその全体が本明細書の一部をなす。
【００４２】
本明細書に提示されている寸法の情報の全ては、本開示の種々の実施形態の或る特定の態様、特徴等の例示であることが意図され、本開示の範囲を限定することは意図されていない。ブランク、容器、成形工具、特徴部の寸法、又は任意の他の寸法は、本開示の範囲から逸脱することなく、本開示に図示及び記載されているものよりも大きく又は小さくすることができ、本開示の範囲から逸脱することなく、各特徴部の列挙した寸法範囲内又は各特徴部の列挙した寸法範囲外とすることができる。
【００４３】
本発明に係るブランクは、例えば、コーティングがされた板紙及び同様の材料から形成することができる。例えば、ブランクの内面及び／又は外面をクレーコートでコーティングすることができる。次に、クレーコート上に製品、広告、価格コード、及び他の情報又は画像を印刷してもよい。次に、ブランクに印刷されているあらゆる情報を保護するように、ブランクをワニスでコーティングすることができる。ブランクの片面又は両面を、例えば防湿層でコーティングすることもできる。
【００４４】
例示的な実施形態によると、ブランクは、通常の紙よりも重く硬質であるような厚さ（caliper）の板紙で作成してもよい。ブランクは、ボール紙、硬化紙等の他の材料、又はカートンパッケージが少なくとも概して上述したように機能することを可能にするのに適した特性を有する任意の他の材料で作成することもできる。
【００４５】
前述の説明は、本開示の種々の実施形態を例示及び説明するものである。本開示の範囲から逸脱することなく、種々の変更を上記構成内でなし得るので、上記説明に含まれるか又は添付図面に示されている全ての事項が、限定的な意味ではなく例示として解釈されることが意図される。さらに、本開示の範囲は、上述の実施形態の種々の変更形態、組み合わせ及び変形形態等をカバーする。加えて、本開示は、選択された実施形態のみを図示及び説明しているが、種々の他の組み合わせ、変更形態及び環境が意図され、本明細書で述べられているような発明概念の範囲内にあり、上記教示と同等であり、及び／又は関連技術分野の技術若しくは知識内にある。さらに、本開示の範囲から逸脱することなく、各実施形態の特定の特徴及び特性を選択的に入れ替え、他の説明された実施形態及び説明されていない実施形態に適用することができる。
【図１】
2015532248.tif 000003
【図１Ａ】
2015532248.tif 000004
【図１Ｂ】
2015532248.tif 000005
【図２】
2015532248.tif 000006
【図３】
2015532248.tif 000007
【図４】
2015532248.tif 000008
【図５Ａ】
2015532248.tif 000009
【図５Ｂ】
2015532248.tif 000010
【図６】
2015532248.tif 000011
【図７】
2015532248.tif 000012
【図８】
2015532248.tif 000013
【図９】
2015532248.tif 000014
【国際調査報告】
2015532248.tif 000015
2015532248.tif 000016